(57)【要約】【課題】  特に寝たきりの着用者にあっては、筋肉が痩せ細り、大腿部が痩せることから、着用者の脚繰りに使い捨ておむつの脚繰り開口部が沿い難くなる。そこで本発明は、大腿部が細くなった着用者においても、脚繰りに隙間を形成し難くてフィットする使い捨ておむつを提供することを目的とする。【解決手段】  前腹部と股下部と後背部が連続し、脚繰り部分（脚繰り端縁１１）が窪んだ外形をした展開型の使い捨ておむつ１０であって、脚繰り部分全域に亘って複数本の脚繰り用弾性部材１６ａ，１６ｂ，１６ｃ，１６ｄが伸張状態で添設されたものである。脚繰り端縁１１に近い側に配置された脚繰り用弾性部材（例えば弾性部材１６ｃ，１６ｄ）が、遠い側に配置された脚繰り用弾性部材（例えば弾性部材１６ａ，１６ｂ）よりも収縮力が高くなる様に構成されたものである。【選択図】      図２
2007075277.tif 000002
【特許請求の範囲】
【請求項１】
前腹部と股下部と後背部が連続し、脚繰り部分が窪んだ外形をした展開型の使い捨ておむつにおいて、
前記脚繰り部分全域に亘って複数本の脚繰り用弾性部材が伸張状態で添設されたものであり、
前記複数本の脚繰り用弾性部材のうち脚繰りの端縁に近い側に配置された脚繰り用弾性部材が、遠い側に配置された脚繰り用弾性部材よりも収縮力が高くなる様に構成されたものであることを特徴とする使い捨ておむつ。
【請求項２】
前記脚繰りの端縁に近い側に配置された脚繰り用弾性部材が、前記遠い側に配置された脚繰り用弾性部材よりも高い伸張状態で添設されたものである請求項１に記載の使い捨ておむつ。
【請求項３】
前記脚繰りの端縁に近い側に配置された脚繰り用弾性部材が、前記遠い側に配置された脚繰り用弾性部材よりも伸び弾性率が高いものである請求項１または２に記載の使い捨ておむつ。
【請求項４】
前記複数本の脚繰り用弾性部材は、同一の弾性率の素材であって、
且つ前記脚繰りの端縁に近い側に配置された脚繰り用弾性部材が、前記遠い側に配置された脚繰り用弾性部材よりも繊度が高いものである請求項１〜３のいずれかに記載の使い捨ておむつ。
【請求項５】
前記脚繰りの端縁に近い側に配置された脚繰り用弾性部材が、前記遠い側に配置された脚繰り用弾性部材よりも、間隔が狭く配置されている請求項１〜４のいずれかに記載の使い捨ておむつ。
【発明の詳細な説明】
【技術分野】
【０００１】
本発明は、使用時に胴回りを綴じ合わせて着用させる展開型の使い捨ておむつに関するものである。
【背景技術】
【０００２】
使い捨ておむつは、平板状のおむつ展開体から使用時に背側部の左右翼を腹側部に綴じ合わせて着用させる展開型おむつと、パンツの形状をしたパンツ型おむつに大別される。パンツ型おむつは、或る程度運動量が豊富な幼児等に専ら用いられているのに対し、展開型おむつは、着用者が寝た状態であっても、上記左右翼を外すことで容易におむつを交換できることから、乳児や寝たきりで動くことの少ない着用者等に好んで用いられている。
【０００３】
使い捨ておむつはウエスト部分を良好にフィット性させる為、ウエストに弾性部材が伸張状態で添設され、また脚繰りの隙間から尿等が漏れ出ないようにする為、脚繰り開口に沿って脚繰り用弾性部材が伸張状態で添設されている。この脚繰り用弾性部材としては、１本の太い紐状体を添設するよりも、細めの糸状体を複数本並列して添設した方が、形成される脚繰りギャザーが細かく柔らかい感触となることから、複数本添設するタイプが一般的である（例えば特許文献１参照）。
【特許文献１】特開平８−２８０７４０号公報（例えば図４，５）
【特許文献２】特開２００５−２７８３８号公報（例えば図１、段落［００２１］〜［００２４］）
【発明の開示】
【発明が解決しようとする課題】
【０００４】
ところで寝たきりの着用者や乳児には、上記の通り展開型の使い捨ておむつが専ら使用され、ウエスト位置の着脱部材の着脱位置を調整することによって、隙間を作らない様にしているものの、特に寝たきりの着用者にあっては、日常殆ど動くことがないので筋肉が痩せ細り、大腿部が痩せることから、着用者の脚繰りに使い捨ておむつの脚繰り開口部が沿い難く、隙間を形成して漏れを生じる懸念がある。
【０００５】
そこで本発明は上記の様な事情に着目してなされたものであって、その目的は、大腿部が細くなった着用者においても、脚繰りに隙間を形成し難くてフィットする使い捨ておむつを提供することにある。
【課題を解決するための手段】
【０００６】
本発明に係る使い捨ておむつは、前腹部と股下部と後背部が連続し、脚繰り部分が窪んだ外形をした展開型の使い捨ておむつであって、前記脚繰り部分全域に亘って複数本の脚繰り用弾性部材が伸張状態で添設されたものであり、前記複数本の脚繰り用弾性部材のうち脚繰りの端縁に近い側に配置された脚繰り用弾性部材が、遠い側に配置された脚繰り用弾性部材よりも収縮力が高くなる様に構成されたものであることを特徴とする。尚上記「脚繰り部分全域」とは脚繰り周方向に回る全体の意味であって、幅方向全域（脚繰り用弾性部材の配置エリアにおける面積的な全体）の意味ではない。尤も脚繰り用弾性部材の添設箇所としては、脚繰り周方向の全域において脚繰り端縁の極近くに添設される場合の他、脚繰り周方向における一部の箇所で脚繰り端縁から少し離れて添設される場合もある。また上記「脚繰りの端縁に近い側に配置された脚繰り用弾性部材が、遠い側に配置された脚繰り用弾性部材よりも収縮力が高くなる様に構成」とは、脚繰り用弾性部材が脚繰り端縁に向かって漸次収縮力が高くなる場合や、複数本の脚繰り用弾性部材を２グループ（或いは３グループ以上）に分けたときに脚繰り端縁に近い側のグループが遠い側よりも収縮力が高くなる場合を含む意味である。
【０００７】
本発明はこの様に構成されているので、脚繰り開口の端縁に向かう程しっかりと収縮でき、たとえ大腿が細くなった着用者であっても、その脚回りに沿い易くなる。その結果、脚繰り開口の隙間から尿等が漏れる虞が低減する。
【０００８】
ところで複数の脚繰り用弾性部材の全てについて収縮力を高くすると、脚回りをしっかりと絞めることができるものの、この様に複数の弾性部材がいずれも高い収縮力のものであると、脚回りを広い範囲で強く締め付けることになるから痛くなる懸念がある。これに対して本発明では端縁より離れた側（遠い側）の弾性部材は、あまり収縮力が高くないので、全体として強い締め付けにはならない。そして脚繰り端縁に近い側は高い収縮力であるから、しっかりと脚繰りを閉めることができて漏れ難い。
【０００９】
因みに前掲の特許文献２には、使い捨てパンツ型おむつにおいて、脚繰り開口の前縁部における複数の前側脚繰り弾性部材を、その脚繰り端縁に向かって収縮力を徐々に高くしたものが提案されている。この特許文献２記載のものは、端縁に位置する弾性部材ほど収縮力が高くなる様に添設されているという点において本発明と同じであるが、下述の様に構成が異なっている為にその作用，効果が異なるものである。
【００１０】
つまり特許文献２では、長方形の前腹部についてその真っ直ぐな下端縁（脚繰りの前縁部）に沿って設けられた複数本の弾性部材に関して、収縮力が異なるというものであり、従ってそれぞれの弾性部材の配設箇所のシートとしては、その距離がいずれも同じである（図５の（ｃ）：特許文献２における弾性部材４６ａ，４６ｂ，４６ｃの添設状態を表す概略説明図）（弾性部材配設箇所のシート長さとして、４６ａ＝４６ｂ＝４６ｃ）。これ故、弾性部材が収縮したとき内側・外側に等しく捲れる力が加わることとなり、そして内側に身体が存在することによる少しの抵抗によって、前腹部の下端縁（脚繰りの前縁部）が内側には向かわずに外側に向かって捲れる様になるのである（図５の（ｄ）：特許文献２におけるシートの様子を表す概略説明図）。そしてこの様な構成であることから、活動性の高い着用者にとって好適となるのである。
【００１１】
これに対し本発明では、窪ませて形作られた脚繰り部分全域に亘って弾性部材が設けられている、即ち弧状の脚繰り部分に複数本の弾性部材が並んで添設されており、この為それぞれの弾性部材の配設箇所におけるシートの距離は異なり、具体的には弧状の内側である脚繰り端縁の方に位置する弾性部材ほど、配設箇所のシートの距離が短くなる（図５の（ａ）：本発明における弾性部材２６ａ，２６ｂ，２６ｃの添設状態を表す概略図）（弾性部材配設箇所のシート長さとして、２６ａ＞２６ｂ＞２６ｃ）。これ故に本発明では、外側に捲れるのではなく、内側（弧の内側）に向かってしっかりと脚周りを閉める様に収縮することとなるのである（図５の（ｂ）：本発明におけるシートの様子を表す概略説明図）。従って寝たきり等で大腿部等が細くなった着用者にとっても、好適にフィットするのである。
【００１２】
本発明において上記の如く複数本の脚繰り用弾性部材のうち脚繰りの端縁に近い側に配置された脚繰り用弾性部材が、遠い側に配置された脚繰り用弾性部材よりも収縮力が高くなる様にする態様としては、前記脚繰りの端縁に近い側に配置された脚繰り用弾性部材が、前記遠い側に配置された脚繰り用弾性部材よりも高い伸張状態で添設されることが挙げられる。
【００１３】
この場合、たとえ準備できる脚繰り用弾性部材が１種類であっても、上記の通り伸張状態を変えて添設することで、脚繰り端縁に近い側の収縮力を高くすることが可能である。
【００１４】
また他の態様として、前記脚繰りの端縁に近い側に配置された脚繰り用弾性部材が、前記遠い側に配置された脚繰り用弾性部材よりも伸び弾性率が高いものであることが挙げられる。
【００１５】
この様に脚繰り用弾性部材の素材として伸び弾性率が異なるものを使用することで、製造工程において上記複数本の脚繰り用弾性部材を同じ伸張倍率で伸張させて添設する方法を採用した場合であっても、端縁に近い側の収縮力を高くできる。そしてこの様に同じ伸張倍率で伸張させて添設する方法の場合は、弾性部材の添設装置の設定が簡便となる。
【００１６】
更に他の態様として、前記複数本の脚繰り用弾性部材が、同一の弾性率の素材であって、且つ前記脚繰りの端縁に近い側に配置された脚繰り用弾性部材が、前記遠い側に配置された脚繰り用弾性部材よりも繊度が高いものであることが挙げられる。
【００１７】
同一の素材であってもその太さが太い（繊度が高い）ものほど収縮力が高くなる。従ってこの場合も、製造工程において複数本の脚繰り用弾性部材を同じ伸張倍率で伸張させて添設する方法を採用しつつも、端縁に近い側の収縮力を高くでき、弾性部材添設装置の設定が簡便となる。
【００１８】
また他の態様として、前記脚繰りの端縁に近い側に配置された脚繰り用弾性部材を、前記遠い側に配置された脚繰り用弾性部材よりも、間隔を狭く配置することが挙げられる。
【００１９】
間隔が狭いほど脚繰り部分として収縮力が高く現れる。従ってこの場合、準備できる脚繰り用弾性部材が１種類であって、各弾性部材を同じ伸張倍率で伸張させて添設する方法であっても、脚繰り端縁に近い側の収縮力を高くすることが可能である。
【００２０】
尚前記のそれぞれの態様は適宜組み合わせて行っても良い。
【発明の効果】
【００２１】
本発明に係る使い捨ておむつによれば、たとえ大腿部が細くなった着用者であっても、脚繰りを良好にフィットさせることができ、尿等の漏れを生じる懸念が少ない。
【発明を実施するための最良の形態】
【００２２】
＜実施形態１＞
図１は本発明の実施形態１に係る使い捨ておむつ１０を示す展開状体の平面図で、おむつの肌側面（肌に接する側の面）を手前側にして表している。また図２は図１に示すＸ−Ｘ線断面図である。図３はこの使い捨ておむつ１０を着用した形態を表す斜視図である。
【００２３】
使い捨ておむつ１０の外形は概ね長方形の長辺側の中央が窪んだ砂時計型をしており、この窪み部分が股部５４となり、該股部５４に連なって広くなっている一方が背側部５５で、他方が腹側部５６となっている。使い捨ておむつ１０の背側部５５における両翼片５５ａの先端の部分には、鈎型係合部材６２を備えた止着テープ６３が取り付けられ、一方、腹側部５６の反肌側面（外側面）にはループ型係合部材６４が設けられており、このループ型係合部材６４に上記鈎型係合部材６２を係合させることにより、図３に示す様に着用できる様になっている。
【００２４】
使い捨ておむつ１０の構造は、吸収体５１を挟んで液不透過性（或いは液不透過性透湿性）のバックシート５２と液透過性のトップシート５３が積層されたものであって、詳しくは、股部を中心に腹側及び背側に伸びた吸収体５１を、これよりサイズの大きなトップシート５３（肌面側）とバックシート５２（反肌面側）が挟んだ構造である。この積層構造により、尿等の排泄物はトップシート５３を透過して吸収体５１に収容され、且つバックシート５２によって外へしみ出るのが防止されている。尚トップシート５３の素材としては透液性の不織布等が挙げられ、バックシート５２の素材としては液不透過性のプラスチックフィルムや撥水性不織布等が挙げられる。吸収体５１としては、粉砕したパルプ繊維やセルロース繊維等の親水性繊維集合層に粒状の高分子吸水体を混合した吸収コアを、ティッシュペーパー等の紙シートあるいは透液性不織布シート等の被覆シートで包み、所定の形状（長方形，砂時計型，ひょうたん型等）に成形したものが挙げられる。
【００２５】
更に使い捨ておむつ１０の両側縁長手方向には、トップシート５３に重ねてサイドシート５７が設けられており、このサイドシート５７の中央側端部に立体用弾性糸条５８が配されて該サイドシート５７が肌側に向かって立ち上がる様になっている。この立ち上がったサイドシート５７によって尿等の排泄物の横漏れが防止されている。尚サイドシート５７の素材としては、液不透過性のプラスチックフィルムや撥水性不織布等が挙げられる。
【００２６】
またおむつ１０の胴回り方向にはウエスト用弾性糸条６１が伸張状態で添設され、これによりウエスト部分のフィット性が向上したものとなると共に、排泄物の背漏れや腹漏れ等が防止される。
【００２７】
使い捨ておむつ１０における両側縁の弧状に窪んだ脚繰り部分の全域には、その脚繰りの端縁１１にほぼ沿う様にして複数本（図示例では４本）の脚繰り用弾性糸１６（１６ａ，１６ｂ，１６ｃ，１６ｄ）が伸張状態で添設されている。そしてこれら脚繰り用弾性糸１６は、吸収体５１の側縁５１ａよりも外側（左・右外側）の箇所（シート５２，５３，５７のみの箇所）において、脚繰りの端縁１１に近いほど間隔が狭くなる様に配置されている。即ち最も吸収体５１寄りの脚繰り用弾性糸１６ａとその隣の脚繰り用弾性糸１６ｂの幅Ｗ１、この脚繰り用弾性糸１６ｂと更に隣の脚繰り用弾性糸１６ｃの幅Ｗ２、脚繰り用弾性糸１６ｃと最も脚繰り端縁１１の幅Ｗ３となる程、狭くなる様に配置されている。従って端縁１１に向かうほど漸次収縮力が高く現れる。尚この各脚繰り用弾性糸１６ａ，１６ｂ，１６ｃ，１６ｄとしては同じ素材で同じ太さの弾性糸が用いられ、いずれも同じ伸張状態で添設したものである。
【００２８】
脚繰り用弾性糸１６としては、ポリウレタン糸，ポリウレタンフィルム，天然ゴム等の、一般的に使い捨ておむつに用いられる弾性伸縮材料を用いることができ、上記シート５２，５３，５７のいずれかの間に、伸張状態としつつ、ホットメルト接着剤，熱接着，超音波接着等による好適な接着手段によって添設すると良い（添設手段としてはゴム系のホットメルト接着剤を用いることがより好ましい）。なかでも繊度３００〜２０００デシテックスのポリウレタン糸を倍率１．１〜５．０倍に伸張し、ゴム系のホットメルト接着剤を用いて添設するのが好ましい。
【００２９】
尚上記ウエスト用弾性糸条６１や上記立体用弾性糸条５８の素材としても、一般的に使い捨ておむつに用いられる弾性伸縮材料（ポリウレタン糸，ポリウレタンフィルム，天然ゴム等）を用いることができ、上記と同様に、弾性糸条６１，５８を伸張状態としつつ、ホットメルト接着剤，熱接着，超音波接着等による好適な接着手段によって添設すると良い。ウエスト用弾性糸条６１の場合は、繊度７００〜２０００デシテックスのポリウレタン糸を倍率２．０〜５．０倍に伸張し、立体用弾性糸条５８の場合は、繊度３００〜１８５０デシテックスのポリウレタン糸を倍率１．１〜４．０倍に伸張して、ゴム系のホットメルト接着剤を用いて添設するのがより好ましい。
【００３０】
上記実施形態１の使い捨ておむつ１０は、その脚繰り部分が端縁１１に向かって収縮力が高くなっているから、たとえ大腿部が痩せ細った着用者であってもその脚回りにおむつ１０の脚繰りが沿いやすく、尿等の漏れが良好に防止される。
【００３１】
＜実施形態２＞
図４は本発明の実施形態２に係る使い捨ておむつにおける脚繰り部分の断面図であり、丁度図１のＸ−Ｘ線断面に相当する箇所の図である。尚図１，２と同じ構成部分については同一の符号を付して重複説明を避ける。
【００３２】
上記実施形態１では、脚繰りの端縁１１に近いほど間隔が狭くなる様に各脚繰り用弾性糸１６ａ，１６ｂ，１６ｃ，１６ｄを配置したものを示したが、本実施形態２では図４に示す様に、脚繰り端縁１１側の３本の脚繰り用弾性糸１６ｂ，１６ｃ，１６ｄが狭く等間隔で配置され、最も吸収体５１寄りの脚繰り用弾性糸１６ａが少し離れて位置したものである（脚繰り用弾性糸の配置関係：Ｗ1＞Ｗ2＝Ｗ3）。
【００３３】
この実施形態２の各脚繰り用弾性糸１６ａ，１６ｂ，１６ｃ，１６ｄは、同じ素材で同じ太さの弾性糸であるが、脚繰り端縁１１側に位置する脚繰り用弾性糸ほど高い伸張状態で添設されたものであり、即ち添設時の伸張倍率を弾性糸１６ａ＜弾性糸１６ｂ＜弾性糸１６ｃ＜弾性糸１６ｄとしたものである。
【００３４】
実施形態２では、上記の通り各脚繰り用弾性糸１６の配置間隔を異ならせると共に、各脚繰り用弾性糸１６によって伸張状態を変えて添設しているから、各脚繰り用弾性糸１６は端縁１１に向かって徐々に収縮力が高くなって現れる。従って実施形態２においても、大腿部が痩せ細った着用者であってもその脚回りにおむつ１０の脚繰り部分が沿いやすく、尿等の漏れが良好に防止される。
【００３５】
以上の様に本発明に係る使い捨ておむつに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００３６】
例えば複数の脚繰り用弾性糸の配置を均等な幅とし、各脚繰り用弾性糸の素材や太さ、或いは添設時の伸張倍率を変えることにより、脚繰り端縁１１に向かって収縮力が高くなる構成としても良い。
【００３７】
加えて各脚繰り用弾性糸の全体にわたって徐々に収縮力が高くなる構成に限らず、例えば図４の如くＷ1＞Ｗ2＝Ｗ3の配置関係とし、各脚繰り用弾性糸１６ａ，１６ｂ，１６ｃ，１６ｄとしては同じ素材で同じ太さの弾性糸を用い、いずれも同じ伸張状態で添設したものとしても良い。
【００３８】
また上記実施形態では脚繰り用弾性糸が４本のものを示したが、これに限るものではなく例えば３本，５本，或いは６本以上であっても良い。
【００３９】
更に上記実施形態では脚繰り用弾性糸１６が脚繰り端縁１１に沿って弓状に配置されたものを示したが、これに限らず、脚繰り用弾性糸が直線状に配置されたもの（例えば図１において、脚繰り用弾性糸１６ａ，１６ｂ，１６ｃ，１６ｄを縦に真っ直ぐ配置したもの）であっても良い。尚この様に直線状であっても、着用時は該脚繰り用弾性糸が輪を形作ることになるので、輪が内側に向かってしっかりと脚回りを閉める様に収縮するようになる。
【００４０】
加えて上記実施形態ではバックシート５２，トップシート５３，サイドシート５７がいずれも脚繰り端縁１１まで至る構造のものを示したが、これに限らず、例えばトップシート５３が短くて端縁１１まで至らずに、バックシート５２，サイドシート５７が端縁１１まで至る構造であっても良い。
【図面の簡単な説明】
【００４１】
【図１】本発明の実施形態１に係る使い捨ておむつを示す展開状体の平面図である。
【図２】図１に示すＸ−Ｘ線断面図である。
【図３】実施形態１の使い捨ておむつを着用した形態を表す斜視図である。
【図４】本発明の実施形態２に係る使い捨ておむつにおける脚繰り部分の断面図である。
【図５】（ａ）は本発明における弾性部材の添設状態を説明する為の概略図で、（ｂ）は（ａ）でのシートの様子を表す概略説明図であり、（ｃ）は特許文献２における弾性部材の添設状態を説明する為の概略説明図で、（ｄ）は（ｃ）でのシートの様子を表す概略説明図である。
【符号の説明】
【００４２】
１０  使い捨ておむつ
１１  脚繰り端縁
１６，１６ａ，１６ｂ，１６ｃ，１６ｄ  脚繰り用弾性糸
５１  吸収体
５１ａ  吸収体の側縁
５２  バックシート
５３  トップシート
５７  サイドシート
【図１】
2007075277.tif 000003
【図２】
2007075277.tif 000004
【図３】
2007075277.tif 000005
【図４】
2007075277.tif 000006
【図５】
2007075277.tif 000007